(57)【要約】【課題  】使い勝手のよい壁掛け型カールドライヤー及びこのカールドライヤー用のホルダーを提供すること。【解決手段】  筒形のドライヤー本体２の長手方向適所に複数のプッシュスイッチ８ａを周方向に位置を変えて配置し、プッシュスイッチ８ａの配置された外周にそれに対応する枠状のスイッチボタン８ｂを設け、枠状のスイッチボタン８ｂが複数個のプッシュスイッチ８ａのいずれかに接触することによってカールドライヤーに通電が開始されるようにした。枠状のスイッチボタン８ｂが設けられたドライヤー本体２は、横置きしたときに置かれた面に枠状のスイッチボタンが接触しないように形成される。【選択図】  図1
2008295469.tif 000002
【特許請求の範囲】
【請求項１】
カールドライヤーと該カールドライヤーを保持するホルダーを備えた壁掛け型カールドライヤーにおいて、筒形に形成されたドライヤー本体の長手方向の適所に複数のタッチセンサーを周方向に位置を変えて配置し、該タッチセンサーの配置された周壁に該タッチセンサーに対応する枠状のスイッチボタンを設け、該枠状のスイッチボタンが該複数のタッチセンサーのいずれかに接触することによって駆動されるようにしたことを特徴とする壁掛け型カールドライヤー。
【請求項２】
前記タッチセンサーがプッシュボタンスイッチであることを特徴とする請求項１に記載の壁掛け型カールドライヤー。
【請求項３】
前記カールドライヤーを横置きしたときに、前記枠状のスイッチボタンがドライヤー本体の載置面から離間されて前記タッチセンサーが作動しないようにする手段を該ドライヤー本体に設けたことを特徴とする請求項１又は２に記載の壁掛け型カールドライヤー。
【請求項４】
前記ドライヤー本体の吐出口近くに形成されたつば状の掛け止め部を有し、該掛け止め部がカールドライヤーを横置きしたときに前記枠状のスイッチボタンを載置面から離間して前記タッチセンサーの作動を防止することを特徴とする請求項３に記載の壁掛け型カールドライヤー。
【請求項５】
前記枠状のスイッチボタンが設けられたドライヤー本体の部分は、該ドライヤー本体の長手方向の両側が該枠状のスイッチボタンよりも高くなるように形成されたことを特徴とする請求項３に記載の壁掛け型カールドライヤー。
【請求項６】
前記ホルダーは側面形状がＦ字状で上部に庇部を有し、庇部から所定間隔をもって前記カールドライヤーのドライヤー本体を支持するための載置部を備え、載置した該ドライヤー本体の尾部近辺に対応する部分にドライヤー本体とホルダー壁間にスペースをもたせるための突起を設けたことを特徴とする請求項１に記載の壁掛け型カールドライヤー。
【発明の詳細な説明】
【技術分野】
【０００１】
本発明は、ホテルや旅館用として使用されるカールドライヤーとそのカールドライヤーを保持するため壁面に取り付けられるホルダーからなる壁掛け型カールドライヤーに関し、カールドライヤー及びそのホルダーの構造に係るものである。
【背景技術】
【０００２】
頭髪をカールするために使用されるカールドライヤーは、多数の掛け止めピンを有するロールブラシに頭髪を巻きつけ、それに対してロールブラシの内部後方から温風を吹きつけるものである。ホテルや旅館の客室用として備え付けて使用される場合、通常は、カールドライヤーのドライヤー本体と、ドライヤー本体にアタッチメントとして着脱自由になされているロールブラシ及びブローブラシとが浴室などの壁に取付けられたホルダーにセットされ、このホルダーは壁のコンセントの商用電源と接続される。
【０００３】
この種の壁掛け型カールドライヤーは、使用する度に差込プラグを壁面などに露出しているコンセントに差し込むと、ユーザが感電する危険があるだけでなく、カールドライヤーがコンセントから簡単に分離可能であると、カールドライヤーをそこから外して持ち逃げされ盗難が発生する可能性がある。このような問題を防ぐために、下記特許文献１（実公昭６３−１８９６２号公報）の「壁掛型へヤードライヤー」には、図８に見られるように、ヘヤードライヤー７１のプラグ７２とホルダー７３のコンセントは常に差し込み接続状態として、この差込部を収納ケース本体７３により覆い、客が簡単にプラグを外してヘヤードライヤー７１を持ち逃げできないようにしたものが開示されている。
【０００４】
すなわち、壁に取り付けた収納ケース（ホルダー）の前側に凹部７５を設け、この凹部にヘヤードライヤー７１を収納する。そして、使用時にはヘヤードライヤー７１を収納ケースの凹部から外して使用する。このようなヘヤードライヤーは、家庭用と異なり不特定多数の宿泊客に利用されるものであるため、中にはヘヤードライヤー本体の電源スイッチをＯＦＦすることなくホルダーに載置される場合もある。
【０００５】
ヘヤードライヤー本体の電源スイッチがＯＦＦされずにホルダーに載置されると、ヘヤードライヤーが常時電源に接続されているため、ヘヤードライヤーは運転状態のままになり、ヘヤードライヤー本体の温風吐出口から出る風がホルダーの壁や庇に長時間当たって温度が上昇し、合成樹脂製のホルダーにおいてはその変形、溶解を生じ、木材の壁面の場合には火災の危険を生じる。このようなことから、下記特許文献２（特開２００４−３２９４８２号公報）には、ハンドルを握ればファンモータとヒータに通電され、離せばファンモータとヒータへの通電を遮断するグリップスイッチを設けた壁掛け型ヘヤードライヤーが開示されている。
【特許文献１】実公昭６３−１８９６２号公報（第４図、第1頁第１欄１８行〜第２欄１６行、第２頁第１欄２２行〜第１欄２５行〕）
【特許文献２】特開２００４−３２９４８２号公報（図１、段落〔０００５〕、〔００１７〕）
【発明の開示】
【発明が解決しようとする課題】
【０００６】
ところで、上述のドライヤーは、いずれもハンドルがドライヤー本体とは別途で設けられたいわゆるピストル型のドライヤーである。しかしながら、カールドライヤーの場合はハンドルがなく、ブローやカールを行うときにドライヤー本体を握る位置がカールする状態によってまちまちとなる。このため、定位置にグリップスイッチを設置すると、スイッチをオンするためにはドライヤー本体を握る状態を限定しなければならず、快適な保持状況で使用できるとは限らず、きわめて使いにくい状況を強制されることもある。
【０００７】
さらにホルダーにおいては、Ｔ字型のヘヤードライヤーが収納された場合には、ヘヤードライヤー本体よりもハンドルは細めであるから下方に垂下したハンドルとホルダーの壁面との間には隙間ができるので、握りやすく操作が容易であるが、円筒型で棒状のカールドライヤーの場合は、ドライヤー本体とホルダーの壁面との間には隙間がなく、指を入れて把握しにくいという問題があった。
【０００８】
本願の発明者は、上記の問題点を解決すべく種々検討を行った結果、カールドライヤーのグリップスイッチとして、ドライヤー本体の胴部周囲に沿ってタッチセンサーを複数個に配置し、それらのタッチセンサーのいずれかとドライヤー本体の胴部周囲に設置された枠状の加圧部材とが接触すればカールドライヤーが作動されるような構造にすることにより、使い勝手のよいカールドライヤーを得ることができることを見出し、本発明を完成するに至ったものである。
【０００９】
すなわち、本発明は、上記のような課題を解決するためになされたもので、本発明の目的は、使い勝手のよいカールドライヤーを提供しようとするものである。
【００１０】
また、本発明の目的は、リング状のタッチセンサーを備えたカールドライヤーに適用できる、カールドライヤー用の使い勝手のよいホルダーを提供しようとするものである。
【課題を解決するための手段】
【００１１】
上記課題を解決するために、請求項１に記載の壁掛け型カールドライヤーの発明は、カールドライヤーと該カールドライヤーを保持するホルダーを備えた壁掛け型カールドライヤーにおいて、筒形に形成されたドライヤー本体の長手方向の適所に複数のタッチセンサーを周方向に位置を変えて配置し、該タッチセンサーの配置された周壁に該タッチセンサーに対応する枠状のスイッチボタンを設け、該枠状のスイッチボタンが該複数のタッチセンサーのいずれかに接触することによって駆動されるようにしたことを特徴とするものである。
【００１２】
また、請求項２に記載の発明は、請求項１に記載の壁掛け型カールドライヤーにおいて、前記タッチセンサーがプッシュボタンスイッチであることを特徴とするものである。
【００１３】
また、請求項３に記載の発明は、請求項１又は２に記載の壁掛け型カールドライヤーにおいて、前記カールドライヤーを横置きしたときに、前記枠状のスイッチボタンがドライヤー本体の載置面から離間されて前記タッチセンサーが作動しないようにする手段を該ドライヤー本体に設けたことを特徴とするものである。
【００１４】
また、請求項４に記載の発明は、請求項３に記載の壁掛け型カールドライヤーにおいて、前記ドライヤー本体の吐出口近くに形成されたつば状の掛け止め部を有し、該掛け止め部がカールドライヤーを横置きしたときに前記枠状のスイッチボタンを載置面から離間して前記タッチセンサーの作動を防止することを特徴とするものである。
【００１５】
また、請求項５に記載の発明は、請求項３に記載の壁掛け型カールドライヤーにおいて、前記枠状のスイッチボタンが設けられたドライヤー本体の部分は、該ドライヤー本体の長手方向の両側が該枠状のスイッチボタンよりも高くなるように形成されたことを特徴とするものである。
【００１６】
また、請求項６に記載の発明は、請求項１に記載の壁掛け型カールドライヤーにおいて、前記ホルダーは側面形状がＦ字状で上部に庇部を有し、庇部から所定間隔をもって前記カールドライヤーのドライヤー本体を支持するための載置部を備え、載置した該ドライヤー本体の尾部近辺に対応する部分にドライヤー本体とホルダー壁間にスペースをもたせるための突起を設けたことを特徴とするものである。
【発明の効果】
【００１７】
本発明は上記構成を備えることにより、以下に示すような優れた効果を奏する。すなわち、請求項１の発明によれば、カールドライヤーとカールドライヤーを保持するホルダーを備えた壁掛け型カールドライヤーにおいて、筒形に形成されたドライヤー本体の長手方向の適所に複数のタッチセンサーを周方向に位置を変えて配置し、タッチセンサーの配置された周壁にタッチセンサーに対応する枠状のスイッチボタンを設け、枠状のスイッチボタンがそれら複数のタッチセンサーのいずれかに接触することによってヒータが駆動されるようにしたことにより、ドライヤー本体をどのように握ってもスイッチを容易にＯＮすることができるようになる。すなわち、複数のタッチセンサーをドライヤー本体の周方向に配置したのと、枠状のスイッチボタンを設けたことにより、枠状のスイッチボタンに手が触れて複数のタッチセンサーのいずれかが圧力を受けるとモータやヒータに通電されるので、握持の仕方に自由度が高く、容易に操作できるカールドライヤーを提供できる。
【００１８】
請求項２の発明によれば、前記タッチセンサーがプッシュボタンスイッチであり、握持によってＯＮするので、安価な装置で確実な入力操作ができる。なお、ドライヤー本体は、円筒形状であってもよいし、角筒形状であってもよい。ドライヤー本体が円筒形状の場合タッチセンサーは円周に沿って配置され、スイッチボタンは環状に配置される。また、ドライヤー本体が角筒形状の場合、タッチセンサーはその角筒形状の外周に沿って配置され、スイッチボタンはその周囲を取巻くように枠形状をなす。
【００１９】
また、請求項３の発明によれば、カールドライヤーを横置きしたときに、枠状のスイッチボタンがカールドライヤー本体が載置された載置面から離間されて作動しないようになるので、カールドライヤーを横置きしたときに、電源スイッチが必ずＯＦＦとなるので安全である。すなわち、カールドライヤーを使用しないときに、ホルダーに戻して載置する場合は、スイッチがＯＦＦとなり安全面の危険性も無駄なエネルギーの浪費もないが、洗面台や卓上などに横置きに放置した場合には、従来のものではスイッチボタンが洗面台や卓面に接触したままになることによりスイッチボタンがタッチセンサーに接触してスイッチがＯＮとなり、ファンモータとヒータへの給電が継続されたままになるというおそれがある。しかし、本発明によれば、洗面台や卓上などに横置きに放置した場合にも、確実にカールドライヤーへの給電が停止される。
【００２０】
また、請求項４の発明は、カールドライヤー本体が載置された載置面から枠状のスイッチボタンを離間させて作動しないようにする手段として、カールドライヤー本体の温風吐出口近くにつば状の掛け止め部を形成したので、カールドライヤーを横置きしたときに、掛け止め部が枠状のスイッチボタンをカールドライヤーが載置された載置面から離間させることによってスイッチボタンの作動を防止することのできる安全なカールドライヤーを提供できる。また、このつば状の掛け止め部により、ホルダーの載置部にこの部分を掛け止めしておくと、使用時に容易に把持できる。
【００２１】
また、請求項５の発明によれば、枠状のスイッチボタンが設けられたドライヤー本体の部分は窪みとなっており、その長手方向の両側が枠状のスイッチボタンよりも高くなるように形成されていることによって、カールドライヤーを台や卓上に横向きに置いても必ずスイッチＯＦＦとなる安全なカールドライヤーを提供できる。
【００２２】
請求項６の発明によれば、側面形状がＦ字状で上部に庇部を有し、庇部から所定間隔をもってカールドライヤー本体を支持するための載置部を備えており、ホルダー壁面の、載置したドライヤー本体の尾部近辺に対応する部分にドライヤー本体とホルダー壁間にスペースをもたせるための突起を設けたので、使用するときにカールドライヤー本体を握持する際にドライヤー本体とホルダー壁間のスペースに指を入れて把握することが容易である。
【発明を実施するための最良の形態】
【００２３】
以下、図面を参照して本発明の最良の実施形態を説明する。但し、以下に示す実施形態は、本発明の技術思想を具体化するためのカールドライヤー及びそのホルダーを例示するものであって、本発明をこれらの実施形態に特定することを意図するものではなく、特許請求の範囲に含まれるその他の実施形態のものも等しく適応し得るものである。
【実施例１】
【００２４】
図１は本発明の一実施例に係るカールドライヤー及びホルダーの側面図である。図２は図１のＢ−Ｂ線で切断した本発明の実施例に係るカールドライヤーの断面図である。図３は同カールドライヤーの使用状態を示す断面図である。図４は本発明の一実施例に係るホルダーの斜視図である。
【００２５】
以下、本発明の一実施例を、図面を参照して説明する。
【００２６】
図１、図２及び図４に示すように、カールドライヤー１は、前端を温風吐出口３となし、内部にヒータとファンとファンを駆動するファンモータ１２を収納し、後端は吸気口７を備え、後端からヒータとファンモータに給電する電源コード４を引き出してコンセントに接続している円筒形状のドライヤー本体２と、このドライヤー本体２の前端に嵌着して使用されるブローブラシ５やロールブラシ６などのブラシ部分を備えてなり、壁掛け型ホルダー２０に収納されるものである。
【００２７】
ドライヤー本体２は、その円筒形の送風胴１０にヒータのＯＮ／ＯＦＦおよびファンモータによる送風量を調整するためのスライドスイッチ１１を備え、また、その長手方向における使用時の保持部分９となる適所に環状のグリップスイッチ８を備えている。このグリップスイッチ８は、複数（図２では４個）のプッシュスイッチ８ａと、それに対応する数のスイッチボタン８ｂから構成される。プッシュスイッチ８ａはドライヤー本体２の内部にある円筒１６の周りに環状に配置してあり、それぞれのスイッチは電気的には互いに並列に接続されている。スイッチボタン８ｂは環状で、上述のプッシュスイッチ８ａの配置された外周に、プッシュスイッチ８ａに対応するように配置される。スイッチボタン８ｂは、ドライヤー本体２内部の円筒１６に図示しないスプリングなどによって支持される。このスイッチボタン８ｂは、カールドライヤー１を使用しないときにはプッシュスイッチ８ａに接触しない。カールドライヤー１の使用時に、使用者がドライヤー本体２を握ると、図３のように環状のスイッチボタン８ｂが複数のプッシュスイッチ８ａのいずれかに接触し、ファンモータ１２とヒータに通電が開始される。このような構造にすると、ドライヤー本体１の握る場所が一定しないカールドライヤーにおいてもスイッチの操作がし易くなる。また、環状のスイッチボタン８ｂを、図示しないが、接点となる部分以外を可撓性あるゴムやプラスチックのような材質で成形し、一体に設けた内向きの突起によってドライヤー本体２内部の円筒１６に支持し、使用者がグリップスイッチ８を握ると、スイッチボタン８ｂが握力によって変形して接点がプッシュスイッチ８ａに接触するものであってもよい。
【００２８】
また、カールドライヤー１の吐出口３付近には、ドライヤー本体２の外周に沿ってつば状の掛け止め部１３が形成される。これにより、ドライヤー本体２をホルダー２０に収納するため送風胴１０を載置部２２に形成された挿脱部２３に挿入した際に、この掛け止め部１３が載置部２２に掛止される。このように、ドライヤー本体２は、不使用時にはホルダー２０に簡単に載置することができる。
【００２９】
かかるカールドライヤー用のホルダー２０は壁に固定されることによって、カールドライヤー２と壁面に形成されたコンセントの商用電源との接続部を外部に露出しないよう隠蔽している。図１及び図４に示すように、ホルダー２０は、側面形状がＦ字状で上部に庇部２１を有し、その庇部２１から所定間隔をもってカールドライヤー本体やブローブラシ５やロールブラシ６などのブラシ部分を支持するための棚状の載置部２２を備えている。載置部２２の棚には、ドライヤー本体２の掛け止め部１３が係止できるようにＵ字状の切込みからなる挿脱部２３が設けられ、ドライヤー本体２が挿脱される。ホルダー２０の壁面の、載置部２２に載置されたドライヤー本体２の尾部近辺に対応する部分には、ドライヤー本体２を側面から支持するとともに、ドライヤー本体２とホルダー２０の壁との間にスペースを維持するための突起２５が設けられている。これによって、ホルダー２０に収納されたドライヤー本体２とホルダー２０の壁面との間には、使用者がドライヤー本体２をホルダー２０から取り外すために保持しようとするとき、容易に握持できる適度のスペースが形成される。
【００３０】
図５は本発明のカールドライヤーの一実施例の回路図である。１４はＡＣ電源、１５はニクロムヒータ、１１はスライドスイッチで運転状態、詳しくはＯＦＦ、冷風（ｃｏｏｌ）、温風（弱）（ｌｏｗ）、温風（強）（ｈｉｇｈ）を選択できる。また、ドライヤーのＯＮ／ＯＦＦ操作は複数個のプッシュスイッチが並列に接続された環状のグリップスイッチ８によりなされる。スライドスイッチ１１でＯＦＦ以外の運転状態が設定されたときに、４個のプッシュスイッチのいずれか一つが接触するとニクロムヒータ１５が加熱され、ファンモータ１２が作動して、ブローモードあるいはカールモードとなる。
【実施例２】
【００３１】
上記のような壁掛け型カールドライヤー１において、環状のグリップスイッチ８のスイッチボタン８ｂが円筒状のドライヤー本体２から浮き出ている（または突出している）と、使用者が不使用時に台や卓上に横向きに置いたままにして放置した場合に、本体の重みでグリップスイッチ８がＯＮされてカールドライヤーが通電されたままとなり、過熱状態になるおそれがある。そこで、カールドライヤー１を横置きしたときに、環状のスイッチボタン８ｂがドライヤー本体の載置面から離間されて作動しないようにする手段をドライヤー本体２に設けておくことが必要になる。
【００３２】
図６は、本発明の他の実施例に係るカールドライヤー１の側面図である。本実施例において、ドライヤー本体２の吐出口３付近に形成されたつば状の掛け止め部１３は、カールドライヤー１を横置きしたときに、環状スイッチボタン８ｂがカールドライヤー１の載置面に接触しないようにする大きさで形成されており、環状スイッチボタン８ｂを載置面から離間させてその作動を防止する構造になっている。
【実施例３】
【００３３】
図７は本発明のさらに他の実施例に係るカールドライヤーの斜視図である。図示したように、ドライヤー本体２の、環状のスイッチボタン８ｂが設けられる部分は、その長手方向の両側が環状のスイッチボタン８ｂよりも高くなるように形成されている。すなわち、ドライヤー本体２の、カールドライヤーの環状のスイッチボタン８ｂが設けられた部分は窪みとなっており、その長手方向の両側が環状のスイッチボタン８ｂよりも高くなるように形成されることにより、台や卓上に横向きに置いた場合でもスイッチボタン８ｂが載置面に接触しないためにスイッチが必ず切れる。上記のようなカールドライヤー１は、環状のグリップスイッチ８のスイッチボタン８ｂが円筒状のドライヤー本体２から浮き出ているような構造であっても、ドライヤー本体２のその両側部分が高くなっているから、使用者が不使用時に台や卓上に横向きに置いたままにして放置した場合にスイッチがＯＮされてカールドライヤーが通電されたままになって、過熱状態になるおそれがない。このような構造にすることによって、安全なカールドライヤーを提供することができる。
【００３４】
なお、上記の実施例においては、ドライヤー本体２の形状を円筒形、プッシュスイッチ８ａがその周囲に環状に配置され、スイッチボタン８ｂはさらにその外周に環状に配置されるものとして説明したが、本発明の壁掛け型カールドライヤーのドライヤー本体の形状は円筒形に限られず、例えば６角形又は他の美観を有するような角筒形状であってもよい。その場合、プッシュスイッチは角筒形状のドライヤー本体の外周に沿って適当な間隔で配置され（例えばドライヤー本体が６角筒形状の場合、プッシュスイッチは６角形の各辺(面)上に配置される）、スイッチボタンはプッシュスイッチの周囲に、ドライヤー本体の形状に対応した枠状の部材（例えばドライヤー本体が６角筒形状の場合、スイッチボタンは６角形状の枠体）として配置される。
【００３５】
なお、上記の実施例においては、タッチセンサーとしてプッシュボタンスイッチを使用した例を説明したが、もちろんプッシュボタンスイッチである必要はなく、圧力センサーなど他のタッチセンサーであってよい。
【００３６】
また、上記の実施例においては、カールドライヤーを駆動する電源スイッチをカールドライヤー本体に設けてある場合を説明したが、電源スイッチをホルダーに設けて、カールドライヤー本体に設けないやり方もある。この場合は、盗難のおそれがより少なくなる。
【００３７】
以上説明したように、本発明によれば、簡単な構成で、ホテルや旅館用として使用される壁掛け型カールドライヤー及びそのホルダーおいて、使い勝手のよいものを提供することができる。
【図面の簡単な説明】
【００３８】
【図１】図１は本発明の一実施例に係るカールドライヤー及びホルダーの側面図である。
【図２】図２は図１のＢ−Ｂ線で切断した本発明の実施例に係るカールドライヤーの断面図である。
【図３】図３は同カールドライヤーの使用状態を示す断面図である。
【図４】図４は本発明の一実施例に係るホルダーの斜視図である。
【図５】図５は図１の本発明の実施例にかかるカールドライヤーの回路図である。
【図６】図６は本発明の他の実施例に係るカールドライヤーの側面図である。
【図７】図７は本発明のさらに他の実施例に係るカールドライヤーの斜視図である。
【図８】図８は従来のドライヤーとホルダーを示す断面図である。
【符号の説明】
【００３９】
１      カールドライヤー
２      ドライヤー本体
３      吐出口
４      電源コード
５      ブローブラシ
６      ロールブラシ
７      吸気口
８ａ    プッシュスイッチ
８ｂ    環状スイッチボタン
９      保持部分
１０    送風胴
１３    掛け止め部
２０    ホルダー
２１    庇部
２２    載置部
２３    挿脱部
２４    収納部
２５    突起
【図１】
2008295469.tif 000003
【図２】
2008295469.tif 000004
【図３】
2008295469.tif 000005
【図４】
2008295469.tif 000006
【図５】
2008295469.tif 000007
【図６】
2008295469.tif 000008
【図７】
2008295469.tif 000009
【図８】
2008295469.tif 000010